(57)【要約】【課題】チューブの脱落を抑制可能なコードスイッチの端末封止方法を提供する。【解決手段】弾性及び絶縁性を有する中空の管状部材２と、管状部材２の内側に互いに離間した状態で配置された複数の電極線３と、を備えたコードスイッチ１の一端に、水密封止部４を形成する方法であって、管状部材２の端部を覆うように、加熱により収縮する樹脂からなるチューブ４２を設けるチューブ配置工程と、管状部材２と重なる位置のチューブ４２を加熱して収縮させ、チューブ４２を管状部材２の外周に固定する熱チャック工程と、チューブ４２内に硬化樹脂を注入し硬化して水密封止部４を得る封止工程と、を備えた。【選択図】図４
2019149228.tif 000002
【特許請求の範囲】
【請求項１】
弾性及び絶縁性を有する中空の管状部材と、前記管状部材の内側に互いに離間した状態で配置された複数の電極線と、を備えたコードスイッチの一端に、水密封止部を形成する方法であって、
前記管状部材の端部を覆うように、加熱により収縮する樹脂からなるチューブを設けるチューブ配置工程と、
前記管状部材と重なる位置の前記チューブを加熱して収縮させ、前記チューブを前記管状部材の外周に固定する熱チャック工程と、
前記チューブ内に硬化樹脂を注入し硬化して前記水密封止部を得る封止工程と、を備えた、
コードスイッチの端末封止方法。
【請求項２】
前記電極線を終端抵抗器に接続するターミナル接続工程を備え、
前記チューブ配置工程では、前記終端抵抗器を覆うように前記チューブを設ける、
請求項１に記載のコードスイッチの端末封止方法。
【発明の詳細な説明】
【技術分野】
【０００１】
本発明は、コードスイッチの端末封止方法に関する。
【背景技術】
【０００２】
従来、車両のスライドドア等に異物（例えば人体）が挟み込まれるのを防止するために、コードスイッチが用いられている。車両のスライドドアに異物（例えば人体）が挟み込まれるのを防止する場合、コードスイッチは、スライドドアのドア縁部に沿って設置される。
【０００３】
コードスイッチは、弾性及び絶縁性を有する中空の管状部材と、管状部材の内側に離間した状態で配置された複数の電極線と、を備えている（例えば、特許文献１参照）。コードスイッチの一端は、電極線の接触を検知するセンサ装置に接続され、コードスイッチの他端は、樹脂により封止され水密封止部が形成される。
【０００４】
コードスイッチの端部には、終端抵抗器（ターミナル）等が接続される場合がある。この終端抵抗器等を保護するために、水密封止部の形成の際には、管状部材の端部と終端抵抗器とを覆うように、樹脂製のチューブを設けることが行われている。
【０００５】
従来のコードスイッチの端末封止方法では、予めチューブに縦方向（軸方向）に沿って切れ目を入れておき、このチューブに切れ目を開きつつ管状部材の端部を覆うようにチューブを設けた後、チャック装置によってチューブを径方向内方に押して切れ目を閉じさせ、その後、チューブ内に硬化樹脂を注入し硬化させることで、水密封止部を形成していた。
【先行技術文献】
【特許文献】
【０００６】
【特許文献１】特開平１０−２２８８３７号公報
【発明の概要】
【発明が解決しようとする課題】
【０００７】
しかしながら、従来方法においては、使用するチューブの内径のばらつきの影響により、チャック装置でチューブを押しても切れ目を十分に閉じさせることができず、チューブが管状部材から脱落してしまう場合があった。
【０００８】
そこで、本発明は、チューブの脱落を抑制可能なコードスイッチの端末封止方法を提供することを目的とする。
【課題を解決するための手段】
【０００９】
本発明は、上記課題を解決することを目的として、弾性及び絶縁性を有する中空の管状部材と、前記管状部材の内側に互いに離間した状態で配置された複数の電極線と、を備えたコードスイッチの一端に、水密封止部を形成する方法であって、前記管状部材の端部を覆うように、加熱により収縮する樹脂からなるチューブを設けるチューブ配置工程と、前記管状部材と重なる位置の前記チューブを加熱して収縮させ、前記チューブを前記管状部材の外周に固定する熱チャック工程と、前記チューブ内に硬化樹脂を注入し硬化して前記水密封止部を得る封止工程と、を備えた、コードスイッチの端末封止方法を提供する。
【発明の効果】
【００１０】
本発明によれば、チューブの脱落を抑制できる。
【図面の簡単な説明】
【００１１】
【図１】本発明の一実施の形態に係るコードスイッチの端末封止方法に用いるコードスイッチを示す図であり、（ａ）は長手方向に垂直な断面図、（ｂ）は斜視図である。
【図２】コードスイッチの水密封止部を示す平面図である。
【図３】本発明の一実施の形態に係るコードスイッチの端末封止方法の手順を示すフロー図である。
【図４】熱チャック工程を説明する図である。
【発明を実施するための形態】
【００１２】
［実施の形態］
以下、本発明の実施の形態を添付図面にしたがって説明する。
【００１３】
（コードスイッチの説明）
図１は、本発明の一実施の形態に係るコードスイッチの端末封止方法に用いるコードスイッチを示す図であり、（ａ）は長手方向に垂直な断面図、（ｂ）は斜視図である。
【００１４】
図１（ａ）．（ｂ）に示すように、コードスイッチ１は、弾性及び絶縁性を有する中空の管状部材２と、管状部材２の内側に互いに離間した状態で配置された複数の電極線３と、を備えている。
【００１５】
管状部材２は、長手方向に沿って中空部２ａを有する円筒状（外部から押圧力が加えられていない状態において円筒状）に形成されている。管状部材２は、圧縮永久歪が小さく、柔軟性、耐寒性、耐水性、耐薬品性、耐候性などの優れた材質からなることが望ましい。具体的には、管状部材２としては、例えばエチレン‐プロピレン‐ジエン共重合体を架橋したゴム系組成物や、架橋工程が不要なオレフィン系やスチレン系熱可塑性エラストマ組成物などからなるものを好適に用いることができる。管状部材２の外径は、例えば４ｍｍである。
【００１６】
複数の電極線３は、複数の金属素線３１ａを撚り合わせた導体３１と、導体３１の外周を被覆する導電性被覆層３２と、をそれぞれ有している。図１（ａ），（ｂ）では、管状部材２の内面に、周方向に等間隔に４つの電極線３が配置されている場合を示しているが、電極線３の本数はこれに限定されるものではなく、２本以上であればよい。
【００１７】
本実施の形態では、複数の電極線３は、管状部材２の内側に螺旋状に配置されている。これにより、コードスイッチ１をどの方向から押圧しても電極線３同士が接触し易くなり、異物接触の検知漏れを抑制可能となる。
【００１８】
導体３１に用いる金属素線３１ａは、銅や銅合金からなる。金属素線３１ａの表面には、耐熱性を高める目的で、スズ、ニッケル、銀、亜鉛等でメッキされていてもよい。金属素線３１ａの外径は、例えば０．１ｍｍである。
【００１９】
導電性被覆層３２としては、弾性及び導電性を有するものが用いられる。また、導電性被覆層３２としては、管状部材２と同様に、圧縮永久歪が小さく、柔軟性、耐寒性、耐水性、耐薬品性、耐候性などの優れ、かつ、導電率が高く弾性絶縁体への密着性が高いものが用いられる。導電性被覆層３２としては、管状部材２に用いる樹脂にカーボンブラック等の導電性充填剤を配合したものを用いることがより好ましい。つまり、導電性被覆層３２と管状部材２とは、主成分が同じ材料から構成されることが望ましい。具体的には、導電性被覆層３２としては、例えばエチレン‐プロピレン‐ジエン共重合を架橋したゴム系組成物や、架橋工程が不要なオレフィン系やスチレン系熱可塑性エラストマ組成物に、カーボンブラック等の導電性充填剤を配合したものを用いるとよい。
【００２０】
コードスイッチ１では、外部から押圧力が加えられると、管状部材２が弾性変形し、中空部２ａが潰れて、電極線３が互いに接触する。よって、電極線３の接触（短絡）を検知することで、人体等の異物がコードスイッチ１に接触したことを検知できる。
【００２１】
（水密封止部４の説明）
図２は、コードスイッチの水密封止部を示す平面図である。図２に示すように、コードスイッチ１の一端には、中空部２ａへの水の侵入を抑制するための水密封止部４が形成されている。
【００２２】
水密封止部４は、各電極線３の導体３１が接続される終端抵抗器（ターミナル）４１と、終端抵抗器４１と管状部材２の端部とを覆うように設けられた終端抵抗器４１を保護するためのチューブ４２と、チューブ４２内に硬化樹脂を注入し硬化して形成された封止樹脂４３と、を有している。
【００２３】
チューブ４２としては、加熱により収縮する樹脂からなるものを用いることができる。チューブ４２の内径は、管状部材２の外径と同等とされ、管状部材２の端部を容易に覆うことができる程度の径とされる。本実施の形態では、ＰＥＴ（ポリエチレンテレフタレート）からなるチューブ４２を用いた。
【００２４】
封止樹脂４３に用いる硬化樹脂としては、例えば、紫外線を照射することにより硬化する紫外線硬化樹脂を用いることができる。封止樹脂４３は、チューブ４２内に充填されると共に、チューブ４２の先端面（管状部材２の延出側と反対側の端面）を覆うように設けられており、そのチューブ４２から突出している部分の形状が半球状となるように設けられている。なお、チューブ４２の外周面を覆うように硬化樹脂を設けてもよい。
【００２５】
（コードスイッチの端末封止方法）
図３は、本実施の形態に係るコードスイッチの端末封止方法の手順を示すフロー図である。図３に示すように、本実施の形態に係るコードスイッチの端末封止方法では、まず、ステップＳ１にて、電極線３を終端抵抗器４１に接続するターミナル接続工程を行う。ステップＳ１では、端末から所定長さの管状部材２及び導電性被覆層３２を除去し、各電極線３の導体３１を露出させた後、当該露出させた導体３１を終端抵抗器４１にはんだ接続する。
【００２６】
その後、ステップＳ２にて、終端抵抗器４１及び管状部材２の端部を覆うようにチューブ４２を設けるチューブ配置工程を行う。管状部材２とチューブ４２との重なり長については、次の熱チャック工程の固定が十分に行える程度とすればよい。また、終端抵抗器４１の全体がチューブ４２に覆われていることが望ましいが、その一部がチューブ４２から露出していても許容される。
【００２７】
その後、ステップＳ３にて、管状部材２と重なる位置のチューブ４２を加熱して収縮（シュリンク）させ、チューブ４２を管状部材２の外周に固定する熱チャック工程を行う。図４に示すように、ステップＳ３の熱チャック工程では、チューブ４２と接触するチャック部６１を加熱するヒータ６２を備えた熱チャック装置６を用い、ヒータ６２からの熱をチャック部６１を介してチューブ４２に伝えつつ、チャック部６１によりチューブ４２を径方向内方へと押圧する。これにより、チューブ４２が収縮し、チューブ４２が管状部材２の外周に密着することになり、チューブ４２が管状部材２の外周に固定される。
【００２８】
その後、ステップＳ４にて、チューブ４２内に硬化樹脂を注入し硬化する封止工程を行う。硬化樹脂として紫外線硬化樹脂を用いる場合、ステップＳ４では、紫外線硬化樹脂をチューブ４２内に注入すると共に、チューブ４２の端面に半球状に盛り上がるように紫外線硬化樹脂を設けた後、紫外線を照射して紫外線硬化樹脂を硬化させる。これにより、封止樹脂４３が形成され、水密封止部４が得られる。
【００２９】
（実施の形態の作用及び効果）
以上説明したように、本実施の形態に係るコードスイッチの端末封止方法では、管状部材２の端部を覆うように、加熱により収縮する樹脂からなるチューブ４２を設けるチューブ配置工程と、管状部材２と重なる位置のチューブ４２を加熱して収縮させ、チューブ４２を管状部材２の外周に固定する熱チャック工程と、チューブ４２内に硬化樹脂を注入し硬化して水密封止部４を得る封止工程と、を備えている。
【００３０】
熱チャック工程によりチューブ４２を管状部材２の外周に固定することで、チューブ４２に多少の内径ばらつきが存在する場合であっても、チューブ４２を設ける際にチューブ４２が管状部材２から脱落しにくくなり、コードスイッチ１の端末封止作業を容易に行うことが可能になる。
【００３１】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００３２】
［１］弾性及び絶縁性を有する中空の管状部材（２）と、前記管状部材（２）の内側に互いに離間した状態で配置された複数の電極線（３）と、を備えたコードスイッチ（１）の一端に、水密封止部（４）を形成する方法であって、前記管状部材（２）の端部を覆うように、加熱により収縮する樹脂からなるチューブ（４２）を設けるチューブ配置工程と、前記管状部材（２）と重なる位置の前記チューブ（４２）を加熱して収縮させ、前記チューブ（４２）を前記管状部材（２）の外周に固定する熱チャック工程と、前記チューブ（４２）内に硬化樹脂を注入し硬化して前記水密封止部（４）を得る封止工程と、を備えた、コードスイッチの端末封止方法。
【００３３】
［２］前記電極線（３）を終端抵抗器（４１）に接続するターミナル接続工程を備え、前記チューブ配置工程では、前記終端抵抗器（４１）を覆うように前記チューブ（４２）を設ける、［１］に記載のコードスイッチの端末封止方法。
【００３４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００３５】
本発明は、その趣旨を逸脱しない範囲で適宜変形して実施することが可能である。例えば、上記実施の形態では、終端抵抗器４１を設ける場合を説明したが、終端抵抗器４１以外の電気部品を設けてもよい。また、終端抵抗器４１を省略して各電極線３の端部が開放された状態とされていてもよい。さらに、対となる電極線３の導体３１同士が直接結線されていてもよい。
【００３６】
また、上記実施の形態では、コードスイッチ１において、複数の電極線３が管状部材２の内面に螺旋状に設けられている場合を説明したが、これに限らず、複数の電極線３が管状部材２の長手方向に沿って並走するように設けられていてもよい。
【符号の説明】
【００３７】
１…コードスイッチ
２…管状部材
３…電極線
４…水密封止部
４１…終端抵抗器
４２…チューブ
４３…封止樹脂
６…熱チャック装置
６１…チャック部
６２…ヒータ
【図１】
2019149228.tif 000003
【図２】
2019149228.tif 000004
【図３】
2019149228.tif 000005
【図４】
2019149228.tif 000006